(57)【特許請求の範囲】
【請求項１】
ワイヤレスネットワークシステムにおいてパワーを制御するための方法であって、
第１のワイヤレスセルにおいて動作しているワイヤレスデバイス（ＵＥｉ）において、相対パワーパラメータを決定することと、前記相対パワーパラメータは、前記ワイヤレスデバイスの送信パワースペクトル密度（送信ＰＳＤ）における前記第１のワイヤレスセルにおいて保持される基準パワースペクトル密度（基準ＰＳＤ）からの差を示す基準ＰＳＤデルタを含み、
前記ワイヤレスデバイスにおいて、同じワイヤレスネットワークシステム内の少なくとも１つの他のワイヤレスセルに関連する負荷パラメータを受信することと、
前記相対パワーパラメータと前記負荷パラメータとを考慮して、前記ワイヤレスデバイスの送信パワーを調整することと、
を備え、
前記送信パワーを調整することは、
前記負荷パラメータを用いて前記基準ＰＳＤデルタを調整することと、
前記調整された基準ＰＳＤデルタを用いて前記送信ＰＳＤを調整することと、
前記ワイヤレスデバイスに割り当てられた帯域幅と、前記調整された送信ＰＳＤとから前記送信パワーを決定することと、前記ワイヤレスデバイスに割り当てられた帯域幅は、前記調整された送信ＰＳＤと前記ワイヤレスデバイスの最大許容送信パワーとから決定される前記ワイヤレスデバイスに関連する送信帯域幅以内である、
を備える方法。
【請求項２】
前記負荷パラメータは、前記少なくとも１つの他のワイヤレスセルの中のワイヤレスデバイスに関連するデータビットに関連づけられる、請求項１に記載の方法。
【請求項３】
前記ワイヤレスデバイスにおいて前記基準信号を受信すること、をさらに備える請求項１に記載の方法。
【請求項４】
前記基準信号は、信号対雑音比（ＳＮＲ）またはサービス品質（ＱｏＳ）パラメータに基づいている、請求項１に記載の方法。
【請求項５】
前記基準信号に基づいてパワーヘッドルームパラメータを生成すること、をさらに備える請求項１に記載の方法。
【請求項６】
前記ワイヤレスデバイスについてのアップリンク割当てを受信すること、をさらに備え、前記ワイヤレスデバイスは、前記割り当てられたアップリンクにわたる送信のために前記送信パワーを使用する、請求項１に記載の方法。
【請求項７】
前記アップリンク割当ては、帯域幅とパケット情報とを含む、請求項６に記載の方法。
【請求項８】
割当てに従って、そして指し示された最大送信パワーを用いて、前記パケット情報を送信すること、をさらに備える請求項７に記載の方法。
【請求項９】
機械実行可能命令が記憶されている機械可読記憶媒体であって、前記機械実行可能命令は、機械に、
ワイヤレスネットワークシステムの第１のワイヤレスセルにおいて動作しているワイヤレスデバイスにおいて、前記ワイヤレスネットワークシステムの少なくとも第２のワイヤレスセルにおけるアクティビティに関連した１つまたは複数の負荷ビットを、受信させ、
相対パワーパラメータを決定させ、前記相対パワーパラメータは、前記ワイヤレスデバイスの送信パワースペクトル密度（送信ＰＳＤ）における前記第１のワイヤレスセルにおいて保持される基準パワースペクトル密度（基準ＰＳＤ）からの差を示す基準ＰＳＤデルタ（Δpsd）を含み、
前記負荷ビットと前記相対パワーパラメータとに部分的に基づいて、前記ワイヤレスデバイスにおいてパワーを制御させ、
前記パワーを制御することは、
前記負荷パラメータを用いて前記基準ＰＳＤデルタを調整することと、
前記調整された基準ＰＳＤデルタを用いて前記送信ＰＳＤを調整することと、
前記ワイヤレスデバイスに割り当てられた帯域幅と、前記調整された送信ＰＳＤとから前記送信パワーを決定することと、前記ワイヤレスデバイスに割り当てられた帯域幅は、前記調整された送信ＰＳＤと前記ワイヤレスデバイスの最大許容送信パワーとから決定される前記ワイヤレスデバイスに関連する送信帯域幅以内である、を備える
機械可読記憶媒体。
【請求項１０】
前記ワイヤレスデバイスの前記パワーは、前記少なくとも第２のワイヤレスセル内の干渉を緩和させるために制御される、請求項９に記載の機械可読記憶媒体。
【請求項１１】
ワイヤレスネットワークシステムにおいて基地局からのパワーを制御するための方法であって、
前記ワイヤレスネットワークシステムの第１のワイヤレスセルにおいて動作しているワイヤレスデバイスにおいて決定された、相対パワーパラメータを受信することと、なお、前記相対パワーパラメータは、前記ワイヤレスデバイスの送信パワースペクトル密度（送信ＰＳＤ）における前記第１のワイヤレスセルにおいて保持される基準パワースペクトル密度（基準ＰＳＤ）からの差を示す基準ＰＳＤデルタ（Δpsd）を含み、；
前記ワイヤレスネットワークシステムにおいて、前記基地局からの負荷パラメータを生成することと、なお、前記負荷パラメータは少なくとも第２のワイヤレスセルに関連する；
前記相対パワーパラメータと前記負荷パラメータとに関連するパワーレベルに応じて、前記基地局から前記ワイヤレスネットワークシステムの少なくとも前記第１のワイヤレスセルにわたって通信することと；
を備え、
前記パワーレベルは前記ワイヤレスデバイスにおいて、前記送信ＰＳＤと前記ワイヤレスデバイスに割り当てられた帯域幅とから決定され、前記送信ＰＳＤは、前記負荷パラメータを用いて調整された前記基準ＰＳＤデルタを用いて調整され、前記ワイヤレスデバイスに割り当てられた帯域幅は、前記調整された送信ＰＳＤと前記ワイヤレスデバイスの最大許容送信パワーとから決定される前記ワイヤレスデバイスに関連する送信帯域幅以内である、方法。
【請求項１２】
前記負荷パラメータは、データビットに関連づけられ、前記データビットは、前記少なくとも１つの他のワイヤレスセルの中の前記ワイヤレスデバイスに関連づけられる、請求項１１に記載の方法。
【請求項１３】
少なくとも１つのワイヤレスデバイスについての前記基準信号を生成すること、をさらに備える請求項１１に記載の方法。
【請求項１４】
前記基準信号は、信号対雑音比（ＳＮＲ）またはサービス品質（ＱｏＳ）パラメータに基づいている、請求項１３に記載の方法。
【請求項１５】
ワイヤレスネットワークシステムにおいてパワーを制御するために適合されたワイヤレスデバイスであって、
ワイヤレス通信インターフェースと、
前記ワイヤレス通信インターフェースに結合された処理回路と、
を備え、前記処理回路は、
第１のワイヤレスセルにおいて動作している前記ワイヤレスデバイスの相対パワーパラメータを決定するように、前記相対パワーパラメータは、前記ワイヤレスデバイスの送信パワースペクトル密度（送信ＰＳＤ）における前記第１のワイヤレスセルにおいて保持される基準パワースペクトル密度（基準ＰＳＤ）からの差を示す基準ＰＳＤデルタ（Δpsd）を含み、
前記ワイヤレスデバイスにおいて、同じワイヤレスネットワークシステム内の少なくとも１つの他のワイヤレスセルに関連する負荷パラメータを受信するように、
前記相対パワーパラメータと前記負荷パラメータとを考慮して前記ワイヤレス通信インターフェースの送信パワーを調整するように、
適合され、
前記送信パワーを調整することは、
前記負荷パラメータを用いて前記基準ＰＳＤデルタを調整することと、
前記調整された基準ＰＳＤデルタを用いて前記送信ＰＳＤを調整することと、
前記ワイヤレスデバイスに割り当てられた帯域幅と、前記調整された送信ＰＳＤとから前記送信パワーを決定することと、前記ワイヤレスデバイスに割り当てられた帯域幅は、前記調整された送信ＰＳＤと前記ワイヤレスデバイスの最大許容送信パワーとから決定される前記ワイヤレスデバイスに関連する送信帯域幅以内である、を備える
ワイヤレスデバイス。
【請求項１６】
ワイヤレスネットワークシステムにおいてパワーを制御するために適合された基地局であって、
複数のワイヤレスセルを備えている前記ワイヤレスネットワークシステムの第１のワイヤレスセル内で通信するためのワイヤレス通信インターフェースと、
前記ワイヤレス通信インターフェースに結合された処理回路と、
を備え、
前記処理回路は、
前記ワイヤレスネットワークシステムの前記第１のワイヤレスセルにおいて動作しているワイヤレスデバイスにおいて決定された、相対パワーパラメータを受信するように、なお、前記相対パワーパラメータは、前記ワイヤレスデバイスの送信パワースペクトル密度（送信ＰＳＤ）における前記第１のワイヤレスセルにおいて保持される基準パワースペクトル密度（基準ＰＳＤ）からの差を示す基準ＰＳＤデルタ（Δpsd）を含み；
前記ワイヤレスネットワークシステムにおいて、前記基地局から、負荷パラメータを生成するように、なお、前記負荷パラメータは、前記ワイヤレスネットワークシステムの少なくとも１つの他のワイヤレスセルに関連する；
前記相対パワーパラメータと前記負荷パラメータとに関連するパワーレベルに応じて前記基地局から前記ワイヤレスネットワークシステムにわたって通信するように、
適合され、
前記パワーレベルは前記ワイヤレスデバイス（ＵＥｉ）において、前記送信ＰＳＤと前記ワイヤレスデバイスに割り当てられた帯域幅とから決定され、前記送信ＰＳＤは、前記負荷パラメータを用いて調整された前記基準ＰＳＤデルタを用いて調整され、前記ワイヤレスデバイスに割り当てられた帯域幅は、前記調整された送信ＰＳＤと前記ワイヤレスデバイスの最大許容送信パワーとから決定される前記ワイヤレスデバイスに関連する送信帯域幅以内である、基地局。
【請求項１７】
ワイヤレスネットワークシステムにおいてパワーを制御するために適合されたワイヤレスデバイスであって、
第１のワイヤレスセルにおいて動作しているワイヤレスデバイスの相対パワーパラメータを決定する手段と、前記相対パワーパラメータは、前記ワイヤレスデバイスの送信パワースペクトル密度（送信ＰＳＤ）における前記第１のワイヤレスセルにおいて保持される基準パワースペクトル密度（基準ＰＳＤ）からの差を示す基準ＰＳＤデルタを含み、
前記ワイヤレスデバイスにおいて、同じワイヤレスネットワークシステム内の少なくとも１つの他のワイヤレスセルに関連する負荷パラメータを受信する手段と、
前記相対パワーパラメータと前記負荷パラメータとを考慮して、前記ワイヤレスデバイスの送信パワーを調整する手段と、
を備え、
前記送信パワーを調整する手段は、
前記負荷パラメータを用いて前記基準ＰＳＤデルタを調整し、
前記調整された基準ＰＳＤデルタを用いて前記送信ＰＳＤを調整し、
前記ワイヤレスデバイスに割り当てられた帯域幅と、前記調整された送信ＰＳＤとから前記送信パワーを決定し、前記ワイヤレスデバイスに割り当てられた帯域幅は、前記調整された送信ＰＳＤと前記ワイヤレスデバイスの最大許容送信パワーとから決定される前記ワイヤレスデバイスに関連する送信帯域幅以内である、
ワイヤレスデバイス。
【請求項１８】
ワイヤレスネットワークシステムにおいてパワーを制御するためのワイヤレスデバイスにおいて動作可能な１つまたは複数の命令を有するプロセッサ可読記憶媒体であって、前記命令は、少なくとも１つのプロセッサにより実行されると、前記プロセッサに、
第１のワイヤレスセルにおいて動作しているワイヤレスデバイスの相対パワーパラメータを決定させ、前記相対パワーパラメータは、前記ワイヤレスデバイスの送信パワースペクトル密度（送信ＰＳＤ）における前記第１のワイヤレスセルにおいて保持される基準パワースペクトル密度（基準ＰＳＤ）からの差を示す基準ＰＳＤデルタを含み、
前記ワイヤレスデバイスにおいて、同じワイヤレスネットワークシステム内の少なくとも１つの他のワイヤレスセルに関連する負荷パラメータを受信させ、
前記相対パワーパラメータと前記負荷パラメータとを考慮して、前記ワイヤレスデバイスの送信パワーを調整させ、
前記送信パワーを調整することは、
前記負荷パラメータを用いて前記基準ＰＳＤデルタを調整することと、
前記調整された基準ＰＳＤデルタを用いて前記送信ＰＳＤを調整することと、
前記ワイヤレスデバイスに割り当てられた帯域幅と、前記調整された送信ＰＳＤとから前記送信パワーを決定することと、前記ワイヤレスデバイスに割り当てられた帯域幅は、前記調整された送信ＰＳＤと前記ワイヤレスデバイスの最大許容送信パワーとから決定される前記ワイヤレスデバイスに関連する送信帯域幅以内である、
を備える、プロセッサ可読記憶媒体。
【請求項１９】
ワイヤレスネットワークシステムにおいてパワーを制御するための方法であって、
ワイヤレスネットワークシステムの第１のワイヤレスセルにおいて動作しているワイヤレスデバイスにおいて、前記ワイヤレスネットワークシステムの少なくとも第２のワイヤレスセルにおけるアクティビティに関連した１つまたは複数の負荷ビットを、受信することと、
相対パワーパラメータを決定することと、前記相対パワーパラメータは、前記ワイヤレスデバイスの送信パワースペクトル密度（送信ＰＳＤ）における前記第１のワイヤレスセルにおいて保持される基準パワースペクトル密度（基準ＰＳＤ）からの差を示す基準ＰＳＤデルタを含み、
前記負荷ビットと前記相対パワーパラメータとに部分的に基づいて、前記ワイヤレスデバイスにおいてパワーを制御することと、を備え、
前記パワーを制御することは、
前記負荷パラメータを用いて前記基準ＰＳＤデルタを調整することと、
前記調整された基準ＰＳＤデルタを用いて前記送信ＰＳＤを調整することと、
前記ワイヤレスデバイスに割り当てられた帯域幅と、前記調整された送信ＰＳＤとから前記送信パワーを決定することと、前記ワイヤレスデバイスに割り当てられた帯域幅は、前記調整された送信ＰＳＤと前記ワイヤレスデバイスの最大許容送信パワーとから決定される前記ワイヤレスデバイスに関連する送信帯域幅以内である、
機械可読記憶媒体。
【請求項２０】
ワイヤレスネットワークシステムにおいてパワーを制御するために適合されたワイヤレスデバイスであって、
前記ワイヤレスネットワークシステムで通信するためのワイヤレス通信インターフェースと、前記ワイヤレスデバイスは、前記ワイヤレスネットワークシステムの第１のワイヤレスセルにおいて動作し、
前記ワイヤレス通信インターフェースに結合された処理回路と、
を備え、前記処理回路は、
ワイヤレスネットワークシステムの第１のワイヤレスセルにおいて動作しているワイヤレスデバイスにおいて、前記ワイヤレスネットワークシステムの少なくとも第２のワイヤレスセルにおけるアクティビティに関連した１つまたは複数の負荷ビットを、受信し、
相対パワーパラメータを決定し、前記相対パワーパラメータは、前記ワイヤレスデバイスの送信パワースペクトル密度（送信ＰＳＤ）における前記第１のワイヤレスセルにおいて保持される基準パワースペクトル密度（基準ＰＳＤ）からの差を示す基準ＰＳＤデルタを含み、
前記負荷ビットと前記相対パワーパラメータとに部分的に基づいて、前記ワイヤレスデバイスにおいてパワーを制御するように、
適合され、
前記パワーを制御することは、
前記負荷パラメータを用いて前記基準ＰＳＤデルタを調整することと、
前記調整された基準ＰＳＤデルタを用いて前記送信ＰＳＤを調整することと、
前記ワイヤレスデバイスに割り当てられた帯域幅と、前記調整された送信ＰＳＤとから前記送信パワーを決定することと、前記ワイヤレスデバイスに割り当てられた帯域幅は、前記調整された送信ＰＳＤと前記ワイヤレスデバイスの最大許容送信パワーとから決定される前記ワイヤレスデバイスに関連する送信帯域幅以内である、
を備える、ワイヤレスデバイス。
【請求項２１】
ワイヤレスネットワークシステムにおいてパワーを制御するために適合されたワイヤレスデバイスであって、
ワイヤレスネットワークシステムの第１のワイヤレスセルにおいて動作しているワイヤレスデバイスにおいて、前記ワイヤレスネットワークシステムの少なくとも第２のワイヤレスセルにおけるアクティビティに関連した１つまたは複数の負荷ビットを、受信する手段と、
相対パワーパラメータを決定する手段と、前記相対パワーパラメータは、前記ワイヤレスデバイスの送信パワースペクトル密度（送信ＰＳＤ）における前記第１のワイヤレスセルにおいて保持される基準パワースペクトル密度（基準ＰＳＤ）からの差を示す基準ＰＳＤデルタを含み、
前記負荷ビットと前記相対パワーパラメータとに部分的に基づいて、前記ワイヤレスデバイスにおいてパワーを制御する手段と、を備え、
前記パワーを制御する手段は、
前記負荷パラメータを用いて前記基準ＰＳＤデルタを調整し、
前記調整された基準ＰＳＤデルタを用いて前記送信ＰＳＤを調整し、
前記ワイヤレスデバイスに割り当てられた帯域幅と、前記調整された送信ＰＳＤとから前記送信パワーを決定し、前記ワイヤレスデバイスに割り当てられた帯域幅は、前記調整された送信ＰＳＤと前記ワイヤレスデバイスの最大許容送信パワーとから決定される前記ワイヤレスデバイスに関連する送信帯域幅以内である、
ワイヤレスデバイス。
【請求項２２】
ワイヤレスネットワークシステムにおいてパワーを制御するために適合された基地局であって、
前記ワイヤレスネットワークシステムの第１のワイヤレスセルにおいて動作しているワイヤレスデバイスにおいて決定された、相対パワーパラメータを受信する手段と、なお、前記相対パワーパラメータは、前記ワイヤレスデバイスの送信パワースペクトル密度（送信ＰＳＤ）における前記第１のワイヤレスセルにおいて保持される基準パワースペクトル密度（基準ＰＳＤ）からの差を示す基準ＰＳＤデルタを含み、
前記ワイヤレスネットワークシステムにおいて、前記基地局からの負荷パラメータを生成する手段と、なお、前記負荷パラメータは少なくとも第２のワイヤレスセルに関連し、
前記相対パワーパラメータと前記負荷パラメータとに関連するパワーレベルに応じて、前記基地局から前記ワイヤレスネットワークシステムの少なくとも前記第１のワイヤレスセルにわたって通信する手段と、
を備え、
前記パワーレベルは、前記送信ＰＳＤと前記ワイヤレスデバイスに割り当てられた帯域幅とから決定され、前記送信ＰＳＤは、前記負荷パラメータを用いて調整された前記基準ＰＳＤデルタを用いて調整され、前記ワイヤレスデバイスに割り当てられた帯域幅は、前記調整された送信ＰＳＤと前記ワイヤレスデバイスの最大許容送信パワーとから決定される前記ワイヤレスデバイスに関連する送信帯域幅以内である、基地局。
【請求項２３】
ワイヤレスネットワークシステムにおいてパワーを制御するための基地局において動作可能な１つまたは複数の命令を有するプロセッサ可読記憶媒体であって、前記命令は、少なくとも１つのプロセッサにより実行されると、前記プロセッサに、
前記ワイヤレスネットワークシステムの第１のワイヤレスセルにおいて動作しているワイヤレスデバイスにおいて決定された、相対パワーパラメータを受信させ、なお、前記相対パワーパラメータは、前記ワイヤレスデバイスの送信パワースペクトル密度（送信ＰＳＤ）における前記第１のワイヤレスセルにおいて保持される基準パワースペクトル密度（基準ＰＳＤ）からの差を示す基準ＰＳＤデルタを含み、
前記ワイヤレスネットワークシステムにおいて、前記基地局からの負荷パラメータを生成させ、なお、前記負荷パラメータは少なくとも第２のワイヤレスセルに関連し、
前記相対パワーパラメータと前記負荷パラメータとに関連するパワーレベルに応じて、前記基地局から前記ワイヤレスネットワークシステムの少なくとも前記第１のワイヤレスセルにわたって通信させ、
前記パワーレベルは、前記送信ＰＳＤと前記ワイヤレスデバイスに割り当てられた帯域幅とから決定され、
前記送信ＰＳＤは、前記負荷パラメータを用いて調整された前記基準ＰＳＤデルタを用いて調整され、前記ワイヤレスデバイスに割り当てられた帯域幅は、前記調整された送信ＰＳＤと前記ワイヤレスデバイスの最大許容送信パワーとから決定される前記ワイヤレスデバイスに関連する送信帯域幅以内である、プロセッサ可読記憶媒体。
【発明の詳細な説明】
【関連出願の相互参照】
【０００１】
本願は、参照によりその全体がここに組み込まれている「ＤＦＭＡシステムについてのパワー制御アルゴリズムの方法(A Method of Power Control Algorithm for DFMA Systems)」と題された、２００６年３月２７日に出願された米国仮特許出願第６０／７８６，４６４号の利益を主張するものである。
【背景】
【０００２】
［Ｉ．分野］
本主題の技術は、一般に通信のシステムおよび方法に関し、より詳細には、複数のワイヤレスセル間の、そして与えられたセル内の、干渉を緩和するパワー制御コンポーネントを使用するシステムおよび方法に関する。
【０００３】
［ＩＩ．背景］
ワイヤレス通信システムは、ヒューマンインタラクション(human interaction)のほとんどあらゆる領域に対して適用されてきている。セル電話からテキストメッセージングシステム(text messaging system)に至るまで、この領域における通信技術は、絶えず変化し、改善し、そして他の形態へと進化している。そのような１つの技術は、今ではモバイルワイヤレスシステムに対して通信されるインターネット情報など、使用されているデジタルデータの量を含んでいる。多数のシステムが、現在ではそのようなデジタル情報を配信しており、ここでは、望ましいデジタルコンテンツをそれぞれのユーザに対してどのようにして配信すべきかを定義する複数の設計規格が存在する。そのような一規格は、様々なタイプのデータを通信するワイヤレスシステムについての設計ガイドラインを定義するＩＥＥＥ８０２．２０を含んでいる。
【０００４】
一般に、８０２．２０において述べられるガイドラインは、相互運用可能なパケットデータモバイルブロードバンドワイヤレスアクセスシステムについてのエアインターフェース(air interface)のＰＨＹレイヤおよびＭＡＣレイヤについての仕様として意図される。一般的に、そのようなシステムは、３．５ＧＨｚより低いライセンスされた周波数帯域において動作し、１Ｍｂｐｓを超えるユーザ当たりのピークデータレートをサポートし、２５０Ｋｍ／ｈまでの乗り物モビリティクラス(vehicular mobility class)をサポートし、ユビキタスメトロポリタンエリアネットワーク(ubiquitous metropolitan area network)に相応のセルサイズをカバーする。これは、既存のモバイルシステムによって実現されるよりもかなり高い、アクティブなユーザの数を有する、持続されるユーザデータレートを使用するターゲットとするスペクトル効率(spectral efficiency)を含んでいる。
【０００５】
８０２．２０の他の特徴は、様々なユーザニーズに対処するために、費用対効果のよい(cost effective)、スペクトル効率のよい、常にオンの、そして相互運用可能なモバイルブロードバンドワイヤレスアクセスシステムの世界的な展開についての実現可能性(enablement)を含んでいる。これらのニーズは、インフォテインメント(infotainment)およびロケーションサービス(location service)に対するトランスペアレントなアクセスと一緒に、モバイルおよびユビキタスなインターネットアクセス、インターネットアプリケーションのトランスペアレントなサポート、企業イントラネットサービスに対するアクセスを含んでいる。それ故に、８０２．２０仕様は、一般的な８０２仕様において現在開発される高データレート低モビリティサービス(high data-rate low mobility service)と、高モビリティセルラネットワーク(high mobility cellular network)との間の性能ギャップを埋める。
【０００６】
８０２．２０ワイヤレスシステムの技術的実現可能性は、現在においては展開および試行の形で独自開発システムによって示されてきている。これらのシステムは、今日において広く展開される、モデム、無線、アンテナ、ＰＨＹ／ＭＡＣプロトコルなどの技術コンポーネントを使用している。これらのソリューションは、よく理解された（周波数ホッピングなどの）スペクトル拡散技術と、（ＯＦＤＭなどの）無線技術と、（適応アンテナなどの）高度信号処理技術と、セルラアーキテクチャを使用することができる。これらの技術はまた、過去において成功裏にテストされ、展開されてきており、例えばＬＡＮ／ＭＡＮ環境およびセルラ環境において増大される使用を見出している。モバイルサービスのためにライセンスされる、帯域におけるセルラワイヤレスネットワークの商用展開は、高信頼性ネットワークについてのエアインターフェースサポートが、実際に商用展開のために適切であることを実証している。
【０００７】
８０２．２０などの現在の設計規格を有する対象となる一領域は、与えられたワイヤレスセルが、どのようにしてそのセル内のユーザ装置または端末に対して通信するかと、１つのワイヤレスセルがどのようにして１つまたは複数の他のセルに対して影響を及ぼす可能性があるかに関する。これは、セルの中の１つまたは複数のワイヤレス端末によって引き起こされる可能性がある干渉と、これらの端末が、隣接セルにおいて動作する他の端末に対して有する可能性のある影響の量をどのようにして指定すべきかを含んでいる。一般に、与えられた近傍内にある他のセルの中の干渉を緩和するために任意の１つのセルにおいて生成されるパワーの量と、セルがどれだけ影響を受ける可能性があるかを制御することが望ましい。与えられた任意のセル内の端末は、セル内で完全な直交性を有することが可能でないこともあり、それ故にセル内において何らかの漏れまたは干渉を引き起こすので、同じセル内の他の端末に影響を及ぼす可能性がある。現在においては、８０２．２０によって提案される一方法は、セル内で送信されるパワーの量を制御することに関与する。本方法は、セル内のユーザ装置から相対パワースペクトル密度を制御することに関与する。この方法に関連する問題は、１つのセルまたは別のセルからの影響があるかどうかを決定するフィードバックまたは通信が存在しないことである。また、相対パワースペクトル密度制御に加えて、セルの間の干渉の量、および／または与えられたセル内の干渉についての可能性を制御する、より効果的な方法が存在する可能性がある。
【発明の概要】
【０００８】
以下は、実施形態の一部の態様についての基本的な理解を提供するために、様々な実施形態の簡略化された概要(summary)を提示している。この概要は、広範囲にわたる概説ではない。キー／クリティカル要素を識別すること、あるいはここにおいて開示される実施形態の範囲を詳細に示すことは、意図されてはいない。その唯一の目的は、後で提供される、より詳細な説明に対する前置きとして、いくつかの概念を簡略化された形式で提供することである。
【０００９】
セル間の干渉、および／または与えられたセル内の干渉を緩和するために、ワイヤレスネットワークセルにおけるアップリンクパワーを制御するためのシステムおよび方法が提供される。様々な方法は、基地局（時にノードＢと称される）と、１つまたは複数のコンポーネント／デバイス、あるいはその基地局と通信し、それぞれのセルを形成するユーザ装置との間で保持され通信されるパラメータを使用する。一般に、セルは、別のセルがまた、近傍内にあり、それ故に干渉のための可能性となり得ることについての知識をほとんど有さずに動作する。したがって、与えられたセルを動作させる基地局は、そのセルの中で現在通信している任意のデバイスが存在するか否かを含めて、一部の一般的なステータスパラメータを通信することができる。したがって、セルの中の負荷の一般的な概念を指し示す１つのパラメータが、セル間で通信されることができ、ここで負荷インジケータ(load indicator)は、セルによって経験される干渉を信号で伝えることができる。これらおよび他のパラメータから、干渉は、与えられたセル内で動作するそれぞれのデバイスにおける送信パワーを低減するためにそれらのパラメータを使用することにより、セル間で緩和されることができる。決定されたパラメータを考慮して送信パワーを低減させることにより、セル間のノイズの影響は、デバイス間の信号リークのようなファクタによる影響と同様に緩和されることができる。
【００１０】
一実施形態においては、パワー制御コンポーネントは、負荷インジケータと、パワーヘッドルーム(power headroom)など、別のパラメータとを使用し、ここでそのようなヘッドルームは、基準信号(reference signal)と、与えられた端末による最大配信可能パワー(maximum deliverable power)とを加えたものの関数(function of a reference signal plus the maximum deliverable power by a given terminal)、とすることができる。そのようなパラメータに基づいて、パワー送信は、セル内のデバイス、または他のセルに関連するデバイスに対する影響を低減させるために、セルの中における送信デバイスにおいて調整されることができる。別の実施形態においては、パワー密度制御コンポーネントが、デバイスにおける絶対パワースペクトル密度(absolute power spectral density)と称されるパラメータと一緒に、パワーヘッドルームパラメータ（または相対送信パワー能力(relative transmit power capability)）を制御する。パワーヘッドルームおよび／または絶対パワースペクトル密度のこの組合せに基づいて、与えられたセルの中で動作するデバイスは、ワイヤレスネットワークセルにおける干渉を緩和するために与えられた送信パワー出力を調整することができる。
【００１１】
前述の目的および関連した目的の達成のために、ある種の例示の実施形態が、以下の説明と添付の図面に関連してここにおいて説明される。これらの態様は、実施形態が実行されることができる様々な方法を示しており、これらのすべてが、カバーされるように意図される。
【図面の簡単な説明】
【００１２】
【図１】ワイヤレスネットワークについてのパワー制御コンポーネントを示す概略ブロック図である。
【図２】相対パワー制御プロセスを示す流れ図である。
【図３】絶対パワースペクトル密度制御を有する相対パワー制御プロセスを示す流れ図である。
【図４】相対パワースペクトル密度制御プロセスを示す図である。
【図５】パワー制御コンポーネントの組合せを示す図である。
【図６】ワイヤレスネットワークについてのパワー制御とパワースペクトル密度制御の考慮を示す図である。
【図７】様々な態様に従ってインプリメントされる例示の通信システム（例えば、セルラ通信ネットワーク）の説明図である。
【図８】様々な態様に関連する例示のエンドノード（例えば、モバイルノード）の説明図である。
【図９】ここにおいて説明される様々な態様に従ってインプリメントされる例示のアクセスノードの説明図である。
【図１０】ワイヤレス端末に従ってパワーを制御するためのシステムの説明図である。
【図１１】基地局に従ってパワーを制御するためのシステムの説明図である。
【詳細な説明】
【００１３】
ネットワークにおいてトランスミッタパワーレベルを制御することにより、ワイヤレスネットワークにおいて干渉を緩和するためのシステムおよび方法が、提供される。一実施形態においては、ワイヤレスネットワークにおいてパワーを制御するための一方法が、提供される。本方法は、モバイルワイヤレス端末などのワイヤレスデバイスにおいて相対パワーパラメータを決定することと、そのワイヤレスデバイスにおいて負荷パラメータを受信することとを含み、ここで負荷パラメータは、少なくとも１つの他のワイヤレスセルに関連づけられる。本方法は、相対パワーパラメータと負荷パラメータを考慮してワイヤレスデバイスの送信パワーを調整することを含んでいる。別の実施形態においては、送信パワーは、絶対パワースペクトル密度パラメータを考慮して制御されることができる。さらに別の実施形態においては、相対パワーパラメータと絶対パワースペクトル密度パラメータと一緒に、送信パワーは、相対パワースペクトル密度パラメータを考慮して調整されることができる。
【００１４】
本願において使用されるように、「コンポーネント」、「ネットワーク」、「システム」などの用語は、コンピュータに関連したエンティティを、ハードウェア、ハードウェアとソフトウェアの組合せ、ソフトウェア、または実行中のソフトウェアのいずれかを意味するように意図される。例えば、コンポーネントは、それだけには限定されないが、プロセッサ上で実行されるプロセス、プロセッサ、オブジェクト、実行形式(executable)、実行スレッド(thread of execution)、プログラム、および／またはコンピュータとすることができる。例として、通信デバイス上で実行されるアプリケーションもそのデバイスもコンポーネントとすることができる。１つまたは複数のコンポーネントは、プロセスおよび／または実行スレッドの内部に存在することができ、コンポーネントは、１台のコンピュータ上に局所化され、かつ／または２台以上のコンピュータの間で分散されることができる。またこれらのコンポーネントは、様々なデータ構造が記憶されている様々なコンピュータ可読媒体から実行することもできる。それらのコンポーネントは、１つまたは複数のデータパケット（例えば、ローカルシステム、分散システムにおいて、かつ／またはインターネットなどのワイヤードまたはワイヤレスのネットワークにわたって(across)、別のコンポーネントと対話する１つのコンポーネントからのデータ）を有する信号などに従って、ローカルおよび／またはリモートのプロセス上で通信することができる。
【００１５】
図１は、システム内における干渉を緩和するための制御コンポーネントを有するワイヤレスネットワークシステム１００を示している。本システム１００は、参照番号１１０から１２０に示される複数のセルを含み、ここでそれぞれのセルのおのおのは、ワイヤレスネットワーク（参照番号１３４から１４０）上でそれぞれのセル内の１つまたは複数のユーザデバイス（参照番号１４４から１５０）に対して通信する局（参照番号１２４から１３０）を含んでいる。ユーザデバイス１４４〜１５０は、セル電話、コンピュータ、パーソナルアシスタント(personal assistant)、ハンドヘルドデバイスまたはラップトップデバイスなど、実質的に任意のタイプのワイヤレス通信デバイスを含むことができる。
【００１６】
一実施形態においては、１つのパワー制御コンポーネント１６０（または複数のコンポーネント）が、ユーザデバイス１４４〜１５０のパワーを制御するために提供され、ここでは、そのような制御は、デバイスの相対送信パワーに基づいている。別の実施形態においては、パワー制御コンポーネント１７０が、それらのデバイスに関連する相対デバイスパワーと絶対パワーのスペクトル密度パラメータの関数としてパワーを制御するように提供される。パワー制御コンポーネント１６０および１７０は、例えば局１２４から１３０とユーザデバイス１４４〜１５０にわたって(across)共用されるアルゴリズムとして実行されることができる。例えば、局１２４は、ユーザデバイス１４４を用いてコンポーネント１６０および／または１７０のすべてまたは一部分を使用することができるのに対して、局１２６は、ユーザデバイス１４６を用いてコンポーネント１６０および／または１７０のすべてまたは一部分を使用することができる。一般に、ユーザデバイス１４４〜１５０（または端末）は、それぞれのセル１１０〜１２０内のデータ送信についての要求に沿って１組のパラメータを報告する。したがって、それぞれのサービングセル(serving cell)１１０〜１２０は、ユーザデバイス１４４〜１５０の相対送信パワー、および／またはユーザデバイスの絶対パワースペクトル密度の絶対値における変化を制御するが、他のセル１１０〜１２０は、以下でより詳細に説明されるように、セル負荷上の情報を通信することによりデバイス送信パワーの変化に影響を及ぼす。
【００１７】
一般に、パワー制御コンポーネント１６０および１７０は、セル間の干渉、および／または与えられたセル内の干渉を緩和するために、セル１１０〜１２０の中のアップリンクパワーを制御することを可能にする。様々なプロセスは、局１２４〜１３０（時にノードＢと称される）と、関連するユーザデバイス１４４〜１５０との間で保持され通信されるパラメータを使用する。一般に、セル１１０〜１２０は、別のセルもまた、近傍内に存在し、それ故に干渉についての可能性となり得るという知識をほとんど有さずに動作する。したがって、与えられたセル１１０〜１２０を動作させる局１２４〜１３０は、与えられたセルにおいて現在通信している任意のデバイス１４４〜１５０が存在するか否かを含めて一部の一般的なステータスパラメータを通信することができる。したがって、セル１１０〜１２０の間で通信されることができる１つのパラメータは、セルの中の負荷の一般的な概念を指し示し、ここで、負荷インジケータビットは、例えば少なくとも１つのデバイス１４４〜１５０がセルにおいて通信していることを信号で伝えることができる。これらおよび他のパラメータから、干渉は、与えられたセル内で動作するそれぞれのデバイス１４４〜１５０における送信パワーを低減させるためにそれらのパラメータを使用することにより、セル１１０〜１２０の間で緩和されることができる。決定されたパラメータを考慮して送信パワーを低減させることにより、セル１１０〜１２０の間の影響は、与えられたセル内で動作するデバイス間の信号リークのようなファクタによる影響と同様に緩和されることができる。
【００１８】
一実施形態においては、パワー制御コンポーネント１６０は、以上で指摘される負荷インジケータビットと、パワーヘッドルームなど、別のパラメータを使用し、ここでそのようなヘッドルームは、局１２４〜１３０に保持される基準信号と、与えられたデバイス１４４〜１５０による最大配信可能パワーとを加えたものの関数、とすることができる。そのようなパラメータに基づいて、パワー送信は、セル内のデバイス、または他のセルに関連するデバイスに対する影響を低減させるためにセル１２４〜１３０の中の送信デバイス１４４〜１５０において調整されることができる。別の実施形態においては、パワー密度制御コンポーネント１７０は、デバイス１４４〜１５０における絶対パワースペクトル密度と称されるパラメータと一緒にパワーヘッドルームパラメータ（または相対送信パワー能力）を制御する。パワーヘッドルームと、絶対パワースペクトル密度のこの組合せに基づいて、与えられたセル１２４〜１３０の中で動作するデバイス１４４〜１５０は、干渉を緩和するために与えられた送信パワー出力を調整することができる。
【００１９】
パワー制御コンポーネント１６０と、パワースペクトル密度制御コンポーネント１７０は、与えられたセル１１０〜１２０においてパワーを制御するために既存の方法と組み合わされることができる。例えば、既存の一方法は、与えられたセルにおけるパワーを制御するために相対パワースペクトル密度パラメータを使用する。そのような相対パワースペクトル密度パラメータは、セル１１０〜１２０内の、またはそれらのセルにまたがった干渉をさらに緩和するために、ヘッドルームパラメータおよび絶対パワースペクトル密度パラメータと共に使用されることができる。これらの概念は、以下でより詳細に説明されることになり、ここで、図２は、相対デバイスパワーを制御する方法を示し、図３は、絶対パワースペクトル密度と相対デバイスパワーを制御する方法を示し、図４は、相対パワースペクトル密度を制御する既存の方法を示し、ここで図５は、図２〜４に示される方法から利用されることができる制御の組合せを示している。
【００２０】
さらに進める前に、１つまたは複数の以下の考慮が、パワー制御コンポーネント１６０および／または１７０を適用するときに適用されることができる。以上で指摘されるように、コンポーネント１６０または１７０は、例えば、周波数分割多元接続(frequency division multiple access)（ＦＤＭＡ）システムについてのパワー制御アルゴリズムとして提供されることができる。一般にこれらのコンポーネント１６０および１７０は、帯域幅を異なるユーザに対して割り付けるためにセル内でセル間の干渉を低減させ、スケジューラの柔軟性を提供するために使用され、ここで、スケジューラは、どれだけ多くの帯域幅が、与えられたユーザのために使用可能であるかを決定するために局１２４〜１３０において使用される。コンポーネント１６０および１７０の一例の適用においては、以下の仮定が利用されることができる。すなわち、一般的に、各デバイス１４４〜１５０は、アップリンクチャネルにおける単一のサービングセル１１０〜１２０を有する。サービングセル１１０〜１３０は、一般的にそのデバイス１４４〜１５０から他のセルへの送信によって引き起こされる干渉については知らない。一般に、各セルは、アップリンク負荷インジケータ（例えば、ビジーであるか否かを信号で伝えるビット）を定期的な方法でそれぞれのユーザデバイス１４４〜１５０に対してダウンリンクチャネルにおいてブロードキャストする。一般にまた、各デバイス１４４〜１５０は、その候補セットにおけるすべてのセル１１０〜１２０からの負荷インジケータビットを復号化し、それに応じてその送信パワーおよび／またはパワースペクトル密度(power spectral density)（ＰＳＤ）を低減させる。
【００２１】
図２、３、および４は、ワイヤレスシステムについてのパワー制御プロセスと、パワースペクトル密度制御プロセスを示している。説明を簡単にする目的のために、方法は、一連の動作、またはいくつかの動作として示され、説明されるが、一部の動作が、ここにおいて示され、説明される動作とは異なる順序で、かつ／または他の動作と同時に起こることができるように、ここにおいて説明されるプロセスは、動作の順序によって限定されないことが理解され、認識されるべきである。例えば、当業者は、方法が、状態図などの形の一連の相互に関連した状態またはイベントとして代替的に表されることができることを理解し、認識するであろう。さらに、必ずしもすべての例示の動作が、ここにおいて開示される主題の方法に従って方法をインプリメントするために必要とされるとは限らない可能性がある。
【００２２】
図２は、ワイヤレスシステムについてのパワー制御プロセス２００を示し、ここでそのプロセスは、望ましい場合には、１つのアルゴリズムとしてインプリメントされることができる。２１０に先立って、基準信号が、基地局において保持される。この場合には、基準の信号対雑音比(Signal-to-Noise-Ratio)（ＳＮＲ）は、定期的な送信信号に基づいて、かつ／または送信トラフィックのサービス品質(Quality of Service)（ＱｏＳ）に基づいて、基地局またはノードＢにおいて保持される。２２０において、ユーザ装置(user equipment)（ＵＥ）またはデバイスは、基準信号の送信（Ｔｘ）パワーに基づいて、パワーヘッドルームパラメータを定期的に報告する。一般にパワーヘッドルームは、ＵＥ最大Ｔｘパワーと、他の非サービングセルからの複合される任意の負荷表示コマンドの関数である。２３０において、基地局は、ＵＥに対するアップリンク割当てを認可する。例えば、ノードＢは、以下の情報を含むことができるアップリンク割当てを認可する。
【００２３】
ａ．帯域幅  
ｉ．  トーンの数  
ｂ．パケットフォーマット  
ｉ．  パケットサイズおよび変調  
２４０において、ＵＥは、指し示された最大送信パワーを有する２３０における割当てに従って、フォーマットされたパケットを送信する。以下の例の式は、プロセス２００に関してもっと詳細を示すために提供される。
【００２４】
以下の表記法が、適用されることができる。
【００２５】
Ｐｒｅｆ（ｉ，ｔ）  ＝  時刻ｔにおけるＵＥｉについての基準Ｔｘパワー
Ｗｒｅｆ  ＝  基準帯域幅
Ｐｍａｘ（ｉ）  ＝  ＵＥ能力に基づいたＵＥｉについての最大Ｔｘパワー
Ｐｍａｘ（ｉ，ｔ）  ＝  時刻ｔにおけるＵＥｉについての最大許容Ｔｘパワー
Δ（ｉ，ｔ）  ＝
【数１】
0005646558.tif 000002
【００２６】
についての最大サポート可能Ｔｘパワーヘッドルーム
Ｌ（ｉ，ｔ）  ＝  時刻ｔにおけるＵＥｉについての実効負荷インジケータコマンド
ｆ（・）  ＝  負荷インジケータコマンドをＴｘパワー低減に対してマッピングする関数（ｄＢ）
ｇ（・）  ＝  以前および現在の基準パワーを考慮に入れる関数（ｄＢ）
Ｅｓ，ｉ  ＝  ユーザｉについての変調シンボル当たりのＲｘエネルギー
Ｎｔ  ＝  熱プラス他の干渉ＰＳＤ(Thermal plus other interference PSD)
ここで、ＵＥは以下を報告する。
【００２７】
Δ（ｉ，ｔ）＝  Δ（ｉ，ｔ−１）−ｆ（Ｌ（ｉ，ｔ））＋ｇ（Ｐｒｅｆ（ｉ，ｔ），Ｐｒｅｆ（ｉ，ｔ−１））
ＵＥが、基準帯域幅上で制約されたパワーを用いて送信することを仮定すると、変調シンボル当たりの最大ＳＮＲは、次式のように書かれることができる。
【数２】
0005646558.tif 000003
【００２８】
局またはノードＢにおけるスケジューラは、今や帯域幅を異なるユーザに対して柔軟に割り付けることができ、ここでは以下のようになる。
【００２９】
Ｗａｓｓｉｇｎ（ｉ）  ＝  ＵＥｉについての割り当てられた帯域幅
ＴＦａｓｓｉｇｎ（ｉ）  ＝  ＵＥｉについての割り当てられたトランスポートフォーマット
【数３】
0005646558.tif 000004
【００３０】
したがって、割り当てられた各ユーザは、次式によって与えられるパワーレベルでデータを送信する。
【００３１】
Ｐａｓｓｉｇｎｅｄ（ｉ）  ≦  Ｐｒｅｆ（ｉ，ｔ）・１０Δ（ｉ，ｔ）／１０  ＝  
Ｐｍａｘ（ｉ，ｔ）・１０−ｆ（Ｌ（ｉ，ｔ））／１０
図３は、ワイヤレスネットワークについてのパワースペクトル密度（ＰＳＤ）制御プロセス３００を示している。以上のプロセス２００と同様に、プロセス３００は、３１０において、基地局で基準信号を保持することを含んでいる。プロセス３００と対照的に、３２０においては、追加変数を報告するＵＥに関与する制御の変化が存在し、すなわち、最大許容Ｔｘパワーは、次式で与えられる。
【００３２】
Ｐｍａｘ（ｉ，ｔ）・１０−ｆ（Ｌ（ｉ，ｔ））／１０
最大許容Ｔｘパワーの追加情報を用いて、基地局またはノードＢは、スケジュールされた各ユーザからＴｘＰＳＤとレシーバ（Ｒｘ）ＳＮＲの両方を制御することができる。一般に、動作３３０および３４０は、上記されたプロセス２００に類似している。すなわち、３３０において、基地局は、前述のような帯域幅とパケットフォーマットを含むことができるＵＥに対してアップリンク割当てを認可する。３４０において、ＵＥは、指し示された最大送信パワーと、最大許容送信パワーの追加パラメータとを用いて、３３０における割当てに従って、フォーマットされたパケットを送信する。
【００３３】
図４は、ワイヤレスネットワークについての相対パワースペクトル密度（ＰＳＤ）制御プロセス４００を示している。４１０において、基準ＰＳＤが、定期的に送信された信号に基づいて、かつ／または送信トラフィックのＱｏＳに基づいて、基地局またはノードＢにおいて保持される。４２０において、ＵＥは、基準ＰＳＤデルタと関連する帯域幅を定期的に報告し、ここではＴｘＰＳＤは、基準ＰＳＤと、他の非サービングセルから復号化された任意の負荷表示コマンドの関数であり、そして関連する帯域幅は、最大送信パワーとＴｘＰＳＤから計算される。４３０において、基地局またはノードＢは、以下の情報を含むアップリンク割当てを認可する。
【００３４】
ａ．帯域幅
ｉ．  トーンの数
ｂ．パケットフォーマット
ｉ．  パケットサイズおよび変調
４４０において、ＵＥは、ＴｘＰＳＤを用いて割当てに従って、パケットを送信する。以下の例の式は、プロセス４００に関してもっと詳細を示すために提供される。
【００３５】
以下の表記法が、適用されることができる。
【００３６】
Φｒｅｆ（ｉ）  ＝  ＵＥｉについての基準ＰＳＤ
Φｔｘ（ｉ）  ＝  ＵＥｉについてのＴｘＰＳＤ
Δｐｓｄ（ｉ，ｔ）  ＝  時刻ｔにおけるＵＥｉについての基準ＰＳＤブースト（ｄＢ）
Ｗｔｘ（ｉ）  ＝  ＵＥｉについての関連するＴｘ帯域幅
ＵＥは、以下を報告する。すなわち、
【数４】
0005646558.tif 000005
【００３７】
式中で、
【数５】
0005646558.tif 000006
【００３８】
基準ＰＳＤは、次式のように定義される。
【数６】
0005646558.tif 000007
【００３９】
スケジューラは、以下の制約条件を用いて帯域幅を異なるユーザに対して割り付けるために以下の判断基準を使用する。
【００４０】
Ｗａｓｓｉｇｎ（ｉ）  ＝  ＵＥｉ≦Ｗｔｘ（ｉ）の場合に割り当てられた帯域幅
したがって、割り当てられた各ＵＥは、その送信ＰＳＤをΦｔｘ（ｉ）に設定し、次式によって与えられるパワーレベルでデータを送信する。
【００４１】
Ｐａｓｓｉｇｎｅｄ（ｉ）  ＝  Φｔｘ（ｉ）・Ｗａｓｓｉｇｎ（ｉ）  ≦  Ｐｍａｘ（ｉ）
基地局またはノードＢは、各ＵＥからのＴｘＰＳＤの絶対値を制御しないことに注意すべきである。その代わりに、それは、ＴｘＰＳＤにおける、基準ＰＳＤからの差を制御する。パワー制御と、絶対パワースペクトル密度制御と、相対パワースペクトル密度制御との間の違いに関するより詳細については、図６に関して以下で説明されることになる。
【００４２】
図５には、パワー制御コンポーネントの組合せ５００が示されている。この実施形態においては、制御アルゴリズムの様々な組合せが、それぞれの基地局と、関連するユーザのデバイスまたは装置との間で、インプリメントされ、あるいは動的に選択されることができることが示される。５１０においては、パワー制御が示され、これは一般的には図２に示されるプロセスに関連している。５２０においては、パワー制御は、図３に示されるように絶対送信パワースペクトル密度（ＰＳＤ）制御を使用し、５３０においては、相対トランスミッタＰＳＤ制御を使用するＰＳＤ制御が、提供される。したがって、１つの場合においては、パワー制御５１０など、単一のコンポーネントを使用することが可能である。別の例においては、パワー制御５１０とパワー制御５２０が、利用されることができる。さらに別の例においては、パワー制御５１０、５２０、および５３０は、ワイヤレスネットワークにおいて、あるいは複数のネットワークにわたって、ユーザデバイスパワーを低減させ、干渉を緩和するために同時に使用されることができる。理解されることができるように、コンポーネント５１０、５２０、および５３０の様々な組合せが、異なる時刻に、あるいは異なるアプリケーションに応じて使用されることができる。
【００４３】
図６は、ワイヤレスネットワークについてのパワー制御とパワースペクトル密度制御の考慮６００を示している。以下のことに注意すべきである。
【００４４】
プロセスまたはアルゴリズム２００は、相対ＵＥ  Ｔｘパワーを制御する。
【００４５】
プロセスまたはアルゴリズム３００は、相対ＵＥ  Ｔｘパワーと絶対ＴｘＰＳＤとを制御する。そして、
プロセスまたはアルゴリズム４００は、相対ＵＥ  ＴｘＰＳＤを制御する。以下の説明においては、これらのそれぞれのプロセスの間の違いが、解析される。
【００４６】
一般性を失うことなしに、すべてのユーザについての基準ＲｘＳＮＲは、近似的に同じ（例えば、同じチャネル、同じ消去／エラーレート）であることが仮定されることができる。典型的なシナリオにおいては、これは、そうである必要はなく、ＲｘＳＮＲは、正確なチャネルの関数として変化することができる。さらに、各ＵＥの最大Ｔｘパワーは、同じ（例えば、ネットワークにわたって同じＵＥクラス）であることが仮定されることができる。６１０において、切り離されたセルが考慮され、ここではパワー制御の違いが、切り離されたセルについて６２０において考慮される。以下は、パワー制御６２０についての一例の解析を提供している。
【００４７】
以上のプロセス２００において、各ＵＥは、
【数７】
0005646558.tif 000008
【００４８】
を報告し、アップリンク割当ては、次式のようになる。
【数８】
0005646558.tif 000009
【００４９】
割り当てられた各ユーザは、次式によって与えられるパワーレベルでデータを送信する。
【００５０】
Ｐａｓｓｉｇｎｅｄ（ｉ）≦Ｐｒｅｆ（ｉ，ｔ）・１０Δ（ｉ，ｔ）／１０＝Ｐｍａｘ（ｉ，ｔ）
したがって、各ユーザは、現在の最大許容パワーで送信することができる。しかしながら、ユーザ特有のＴｘＰＳＤは、帯域幅割付けに応じて変化し、プロセス３００が使用される場合には、しっかりと制御されることができる。
【００５１】
図６の６３０において、ＰＳＤの違いが考慮され、ここでは以下の例の解析が行われる。
【００５２】
ＰＳＤ制御アルゴリズムにおいて、各ＵＥは、次を報告する。
【数９】
0005646558.tif 000010
【００５３】
アップリンク割当ては、以下のようになる。
【数１０】
0005646558.tif 000011
【００５４】
等式は、次式の場合に、そして次式の場合だけに成り立つ。
【００５５】
Ｗａｓｓｉｇｎ（ｉ）  ＝  Ｗｔｘ（ｉ）
それ故に、ＵＥは、それに、それが基地局に関連するスケジューラに対して報告した送信帯域幅が割り当てられない限りは、最大パワーで送信しない。
【００５６】
図６の６４０において、セル間の干渉が考慮され、ここでは以下の例の解析が適用されることができる。
【００５７】
プロセス２００または３００が適用されるときのＵＥからの送信ＰＳＤは、次式のように書かれることができる。
【数１１】
0005646558.tif 000012
【００５８】
プロセス４００が適用されるときのＵＥからの送信ＰＳＤは、次式のように書かれることができる。
【数１２】
0005646558.tif 000013
【００５９】
一般に、両方のスキームは、次式の場合に同一のＰＳＤをもたらす。
【数１３】
0005646558.tif 000014
【００６０】
しかしながら、プロセス２００または３００は、割当て帯域幅の選択にＵＥの明示的制約を置くことはないのに対して、プロセス４００においては、次式のようになる。
【数１４】
0005646558.tif 000015
【００６１】
一般に、プロセス３００は、ＵＥ  ＴｘパワーとＰＳＤの両方を制御し、帯域幅割当てのノードＢの選択に対してどのような制約も置かない。アップリンクフィードバックオーバーヘッドは、プロセスまたはアルゴリズム３００および４００においては類似しており、アルゴリズムまたはプロセス２００については、より小さい。
【００６２】
図７を参照すると、様々な態様に従ってインプリメントされる例示の通信システム７００（例えば、セルラ通信ネットワーク）が示されており、この通信システムは、通信リンクによって相互接続された複数のノードを備える。例示の通信システム７００の中のノードは、通信プロトコル（例えば、インターネットプロトコル(Internet Protocol)（ＩＰ））に基づいて、信号（例えば、メッセージ）を使用して情報を交換する。システム７００の通信リンクは、例えば、ワイヤ、光ファイバケーブル、および／またはワイヤレス通信技法を使用して、インプリメントされることができる。例示の通信システム７００は、複数のエンドノード７４４、７４６、７４４’、７４６’、７４４”、７４６”を含んでおり、これらは、複数のアクセスノード７４０、７４０’、および７４０”を経由して通信システム７００にアクセスする。エンドノード７４４、７４６、７４４’、７４６’、７４４”、７４６”は、例えば、ワイヤレス通信のデバイスまたは端末とすることができ、アクセスノード７４０、７４０’、７４０”は、例えば、ワイヤレスのアクセスルータまたは基地局とすることができる。例示の通信システム７００はまた、相互接続性を提供するために、あるいは特定のサービスまたはファンクションを提供するために使用されるいくつかの他のノード７０４、７０６、７０９、７１０、および７１２を含む。特に、例示の通信システム７００は、エンドノードに関する状態の転送および記憶をサポートするために使用されるサーバ７０４を含んでいる。サーバノード７０４は、ＡＡＡサーバ、コンテキスト転送サーバ(Context Transfer Server)、ＡＡＡサーバ機能とコンテキスト転送サーバ機能の両方を含むサーバとすることができる。
【００６３】
例示の通信システム７００は、それぞれ対応するネットワークリンク７０５、７０７および７０８によって中間ネットワークノード７１０に対して接続されるサーバ７０４、ノード７０６およびホームエージェントノード７０９を含むネットワークを示している。ネットワーク７０２における中間ネットワークノード７１０はまた、ネットワークリンク７１１を経由してネットワーク７０２の視野から外側にあるネットワークノードに対する相互接続性を提供する。ネットワークリンク７１１は、別の中間ネットワークノード７１２に対して接続され、これは、それぞれネットワークリンク７４１、７４１’、７４１”を経由して複数のアクセスノード７４０、７４０’、７４０”に対するさらなる接続性を提供する。
【００６４】
各アクセスノード７４０、７４０’、７４０”は、それぞれ対応するアクセスリンク（７４５、７４７）、（７４５’、７４７’）、（７４５”、７４７”）を経由して、それぞれ複数のＮ個のエンドノード（７４４、７４６）、（７４４’、７４６’）、（７４４”、７４６”）に対する接続性を提供するものとして示される。例示の通信システム７００において、各アクセスノード７４０、７４０’、７４０”は、アクセスを提供するためにワイヤレス技術（例えば、ワイヤレスアクセスリンク）を使用するものとして示される。各アクセスノード７４０、７４０’、７４０”の無線カバレージ区域（例えば、通信セル７４８、７４８’、および７４８”）は、それぞれ対応するアクセスノードを取り囲む円として示される。
【００６５】
例示の通信システム７００は、ここにおいて述べられる様々な態様の説明のための基礎として提示される。さらに、様々な異なるネットワークトポロジは、特許請求の範囲の主題の範囲内に含まれるように意図され、ここでは、ネットワークノードの数およびタイプと、アクセスノードの数およびタイプと、エンドノードの数およびタイプと、サーバおよび他のエージェントの数およびタイプと、リンクの数およびタイプと、ノードの間の相互接続性とは、図７に示される例示の通信システム７００のそれらとは異なる。さらに、例示の通信システム１００に示される機能的エンティティは、省略され、または組み合わされることができる。また、ネットワークにおける機能的エンティティのロケーションまたは配置は、変化させられることができる。
【００６６】
図８は、様々な態様に関連する例示のエンドノード８００（例えば、モバイルノード）を示している。例示のエンドノード８００は、図７に示されるエンドノード７４４、７４６、７４４’、７４６’、７４４”、７４６”のうちの任意の１つとして使用されることができる装置とすることができる。図に示されるように、エンドノード８００は、バス８０６によって一緒に結合されるプロセッサ８０４と、ワイヤレス通信インターフェース８３０と、ユーザ入力／出力インターフェース８４０と、メモリ８１０とを含む。それに応じて、エンドノード８００の様々なコンポーネントは、バス８０６を経由して、情報、信号およびデータを交換することができる。エンドノード８００のコンポーネント８０４、８０６、８１０、８３０、８４０は、ハウジング８０２の内側に配置されることができる。
【００６７】
ワイヤレス通信インターフェース８３０は、エンドノード８００の内部コンポーネントが、外部デバイスおよびネットワークノード（例えば、アクセスノード）に対して信号を送信し、それから信号を受信することができるメカニズムを提供する。ワイヤレス通信インターフェース８３０は、例えば、他のネットワークノードに対して（例えば、ワイヤレス通信チャネルを経由して）エンドノード８００を結合するために使用される、対応する受信アンテナ８３６を有するレシーバモジュール８３２と、対応する送信アンテナ８３８を有するトランスミッタモジュール８３４とを含む。
【００６８】
例示のエンドノード８００はまた、ユーザ入力デバイス８４２（例えば、キーパッド）と、ユーザ出力デバイス８４４（例えば、ディスプレイ）とを含み、これらは、ユーザ入力／出力インターフェース８４０を経由してバス８０６に結合される。したがって、ユーザ入力デバイス８４２と、ユーザ出力デバイス８４４は、ユーザ入力／出力インターフェース８４０およびバス８０６を経由してエンドノード８００の他のコンポーネントと情報、信号およびデータを交換することができる。ユーザ入力／出力インターフェース８４０と、関連するデバイス（例えば、ユーザ入力デバイス８４２、ユーザ出力デバイス８４４）は、ユーザが、様々なタスクを遂行するためにエンドノード８００を動作させることができるメカニズムを提供する。とりわけ、ユーザ入力デバイス８４２と、ユーザ出力デバイス８４４は、ユーザが、エンドノード８００と、エンドノード８００のメモリ８１０の中で実行するアプリケーション（例えば、モジュール、プログラム、ルーチン、ファンクションなど）とを制御することを可能にする機能を提供する。
【００６９】
プロセッサ８０４は、メモリ８１０に含まれる様々なモジュール（例えば、ルーチン）の制御の下にあるものとすることができ、ここにおいて説明されるような様々なシグナリングおよび処理を実行するためにエンドノード８００のオペレーションを制御することができる。メモリ８１０に含まれるモジュールは、スタートアップのすぐ後に、あるいは他のモジュールによって呼び出されるときに実行される。モジュールは、実行されるときにデータ、情報、および信号を交換することができる。モジュールは、実行されるときにデータおよび情報を共用することもできる。エンドノード８００のメモリ８１０は、シグナリング／制御モジュール８１２と、シグナリング／制御データ８１４とを含むことができる。
【００７０】
シグナリング／制御モジュール８１２は、状態情報の記憶、取出し、および処理の管理のために信号（例えば、メッセージ）を受信することと、送信することとに関連した処理を制御する。シグナリング／制御データ８１４は、例えば、エンドノードのオペレーションに関連したパラメータ、ステータス、および／または他の情報などの状態情報を含んでいる。とりわけ、シグナリング／制御データ８１４は、コンフィギュレーション情報８１６（例えば、エンドノード識別情報）と、動作情報８１８（例えば、現在の処理状態、待ち状態の応答のステータスなどについての情報）とを含むことができる。シグナリング／制御モジュール８１２は、シグナリング／制御データ８１４（例えば、アップデートコンフィギュレーション情報８１６および／または動作情報８１８）にアクセスし、かつ／またはそれを修正することができる。
【００７１】
図９は、ここにおいて説明される様々な態様に従ってインプリメントされる例示のアクセスノード９００の説明図を提供している。例示のアクセスノード９００は、図７に示されるアクセスノード７４０、７４０’、７４０”のうちの任意の１つとして利用される装置とすることができる。アクセスノード９００は、バス９０６によって一緒に結合されるプロセッサ９０４と、メモリ９１０と、ネットワーク／ネットワーク間インターフェース９２０と、ワイヤレス通信インターフェース９３０とを含む。それに応じて、アクセスノード９００の様々なコンポーネントは、バス９０６を経由して情報、信号およびデータを交換することができる。アクセスノード９００のコンポーネント９０４、９０６、９１０、９２０、９３０は、ハウジング９０２の内側に配置されることができる。
【００７２】
ネットワーク／ネットワーク間インターフェース９２０は、アクセスノード９００の内部コンポーネントが、外部デバイスおよびネットワークノードへと信号を送信し、そこから信号を受信することができるメカニズムを提供する。ネットワーク／ネットワーク間インターフェース９２０は、他のネットワークノードに対して（例えば、銅ワイヤまたは光ファイバ線を経由して）アクセスノード９００を結合するために使用されるレシーバモジュール９２２と、トランスミッタモジュール９２４とを含む。ワイヤレス通信インターフェース９３０はまた、アクセスノード９００の内部コンポーネントが外部デバイスおよびネットワークノード（例えば、エンドノード）へと信号を送信し、そこから信号を受信することができるメカニズムを提供する。ワイヤレス通信インターフェース９３０は、例えば、対応する受信アンテナ９３６を有するレシーバモジュール９３２と、対応する送信アンテナ９３８を有するトランスミッタモジュール９３４とを含む。ワイヤレス通信インターフェース９３０は、他のネットワークノードに対して（例えば、ワイヤレス通信チャネルを経由して）アクセスノード９００を結合するために使用されることができる。
【００７３】
プロセッサ９０４は、メモリ９１０に含まれる様々なモジュール（例えば、ルーチン）の制御の下で、様々なシグナリングおよび処理を実行するためにアクセスノード９００のオペレーションを制御する。メモリ９１０に含まれるモジュールは、スタートアップのすぐ後に、あるいはメモリ９１０の中に存在する可能性がある他のモジュールによって呼び出されるときに実行されることができる。モジュールは、実行されるときにデータ、情報、および信号を交換することができる。モジュールは、実行されるときにデータおよび情報を共用することもできる。例として、アクセスノード９００のメモリ９１０は、状態管理モジュール９１２と、シグナリング／制御モジュール９１４とを含むことができる。これらのモジュールのおのおのに対応して、メモリ９１０はまた、状態管理データ９１３と、シグナリング／制御データ９１５とを含む。
【００７４】
状態管理モジュール９１２は、状態の記憶および取出しに関してエンドノードまたは他のネットワークノードからの受信信号の処理を制御する。状態管理データ９１３は、例えば、状態や状態の一部分など、エンドノードに関連した情報、あるいは何らかの他のネットワークノードに記憶される場合には、現在のエンドノードの状態のロケーションを含んでいる。状態管理モジュール９１２は、状態管理データ９１３にアクセスし、かつ／またはそれを修正することができる。
【００７５】
シグナリング／制御モジュール９１４は、基本的ワイヤレスファンクション、ネットワーク管理など、他のオペレーションのために必要として、ワイヤレス通信インターフェース９３０上のエンドノードへの／からの、そしてネットワーク／ネットワーク間インターフェース９２０上の他のネットワークノードへの／からの信号の処理を制御する。シグナリング／制御データ９１５は、例えば、基本的オペレーションについてのワイヤレスチャネル割当てに関するエンドノードに関連したデータと、サポート／管理サーバのアドレス、基本的ネットワーク通信についてのコンフィギュレーション情報など、他のネットワークに関連したデータとを含む。シグナリング／制御モジュール９１４は、シグナリング／制御データ９１５にアクセスし、かつ／またはそれを修正することができる。
【００７６】
多元接続システム（例えば、ＦＤＭＡ、ＯＦＤＭＡ、ＣＤＭＡ、ＴＤＭＡなど）では、複数の端末は、アップリンク上で同時に送信することができることに注意すべきである。そのようなシステムでは、パイロットサブバンドは、異なる端末の間で共用されることができる。チャネル推定技法は、各端末についてのパイロットサブバンドが、（おそらく、帯域エッジを除いて）全体の動作帯域に広がる場合に、使用されることができる。そのようなパイロットサブバンド構造は、各端末についての周波数ダイバーシティを得るために望ましいことになる。ここにおいて説明される技法は、様々な手段によってインプリメントされることができる。例えば、これらの技法は、ハードウェア、ソフトウェア、またはそれらの組合せの形でインプリメントされることができる。ハードウェアインプリメンテーションでは、チャネル推定のために使用される処理ユニットは、１つまたは複数の特定用途向け集積回路(application specific integrated circuit)（ＡＳＩＣ）、デジタル信号プロセッサ(digital signal processor)（ＤＳＰ）、デジタル信号処理デバイス(digital signal processing device)（ＤＳＰＤ）、プログラマブルロジックデバイス(programmable logic device)（ＰＬＤ）、フィールドプログラマブルゲートアレイ(field programmable gate array)（ＦＰＧＡ）、プロセッサ、コントローラ、マイクロコントローラ、マイクロプロセッサ、ここにおいて説明されるファンクションを実行するように設計された他の電子ユニット、あるいはそれらの組合せの内部にインプリメントされることができる。
【００７７】
ソフトウェアインプリメンテーションでは、ここにおいて説明される技法は、ここにおいて説明されるファンクションを実行するモジュール（例えば、プロシージャ、ファンクションなど）を用いてインプリメントされることができる。ソフトウェアコードは、メモリユニットに記憶され、プロセッサによって実行されることができる。メモリユニットは、プロセッサの内部に、あるいはプロセッサの外部にインプリメントされることができ、この場合には、メモリユニットは、当技術分野において知られているような様々な手段を経由してプロセッサに通信的に結合されることができる。
【００７８】
図１０は、ワイヤレス端末に従ってパワーを制御するためのシステム１０００の説明図である。一般に、システム１０００は、送信パワーを制御するワイヤレス通信装置に関係づけられる。これは、ワイヤレスネットワークセルに関連する負荷パラメータを受信するための論理コンポーネント１００２を含んでいる。例えば、これは、ワイヤレス端末の中のレシーバ回路、または他のレシーバコンポーネントを含むことができる。１００４には、受信された基準信号に基づいてパワーヘッドルームパラメータを生成するための論理コンポーネントが提供される。これは、ワイヤレス端末に関連するプロセッサを含むことができる。１００６には、負荷パラメータおよびパワーヘッドルームパラメータに部分的に基づいてパワーを調整するための論理コンポーネントが提供される。これは、例えば、パワー制御アルゴリズムを実行するプロセッサ命令またはハードウェアを含むことができる。１００８には、絶対パワースペクトル密度パラメータに基づいてパワーを調整するための論理コンポーネントが提供され、ここではこのモジュールは、アルゴリズムのコンポーネントを含むこともできる。
【００７９】
図１１は、基地局に従ってパワーを制御するためのシステム１１００の説明図である。システム１１００は、送信パワーを制御するワイヤレス通信装置に関し、１つまたは複数のワイヤレスネットワークセルに関連する負荷パラメータを生成するための論理コンポーネント１１０２を含んでいる。これは、例えば、基地局トランスミッタを含むことができる。１１０４には、信号対雑音比（ＳＮＲ）またはサービス品質パラメータ（ＱｏＳ）に基づいて基準信号を決定するための論理コンポーネントが提供される。これは、例えば、基準信号を決定する、基地局におけるプロセッサコンポーネントを含むことができる。１１０６には、負荷パラメータと、ワイヤレスネットワークにおけるパワーを調整することを容易にする基準信号とを通信するための論理コンポーネントが提供される。これは、パラメータを記憶するためのメモリを含むことができる。１１０８には、絶対パワースペクトル密度パラメータに基づいてパワーを調整するための論理コンポーネントが提供される。これは、そのようなパラメータに基づいてそのパワーを調整するワイヤレス端末を含むことができる。
【００８０】
上記されているものは、例示の実施形態を含んでいる。実施形態を説明する目的のためにコンポーネントまたは方法の、あらゆる考え得る組合せについて説明することは、もちろん可能ではないが、当業者は、多数のさらなる組合せおよび置換が可能であることを認識することができる。したがって、これらの実施形態は、添付の特許請求の範囲の趣旨および範囲内に含まれるすべてのそのような変更、修正および変形を包含するように意図される。さらに、用語「含む(includes)」が詳細な説明または特許請求の範囲のいずれかにおいて使用される限りにおいて、そのような用語は、用語「備えている(comprising)」が特許請求の範囲においてトランジショナルワード(transitional word)として使用されるときに解釈されるように、用語「備えている(comprising)」と同様な方法で包含的であるように意図される。
なお、以下に、出願当初の特許請求の範囲に記載された発明を付記する。
［Ｃ１］
ワイヤレスネットワークにおいてパワーを制御するための方法であって、
ワイヤレスデバイスにおいて相対パワーパラメータを決定することと、
前記ワイヤレスデバイスにおいて少なくとも１つの他のワイヤレスセルに関連する負荷パラメータを受信することと、
前記相対パワーパラメータと前記負荷パラメータとを考慮して前記ワイヤレスデバイスの送信パワーを調整することと、
を備える方法。
［Ｃ２］
絶対パワースペクトル密度パラメータを考慮して前記送信パワーを調整すること、をさらに備えるＣ１に記載の方法。
［Ｃ３］
相対パワースペクトル密度パラメータを考慮して前記送信パワーを調整すること、をさらに備えるＣ２に記載の方法。
［Ｃ４］
前記負荷パラメータは、前記少なくとも１つの他のワイヤレスセルの中のワイヤレスデバイスに関連するデータビットに関連づけられる、Ｃ１に記載の方法。
［Ｃ５］
前記ワイヤレスデバイスにおいて基準信号を受信すること、をさらに備えるＣ１に記載の方法。
［Ｃ６］
前記基準信号は、信号対雑音比（ＳＮＲ）またはサービス品質（ＱｏＳ）パラメータに基づいている、Ｃ５に記載の方法。
［Ｃ７］
前記基準信号に基づいてパワーヘッドルームパラメータを生成すること、をさらに備えるＣ５に記載の方法。
［Ｃ８］
アップリンク割当てを受信すること、をさらに備えるＣ１に記載の方法。
［Ｃ９］
前記アップリンク割当ては、帯域幅とパケット情報とを含む、Ｃ８に記載の方法。
［Ｃ１０］
割当てに従って、そして指し示された最大送信パワーを用いて、前記パケット情報を送信すること、をさらに備えるＣ９に記載の方法。
［Ｃ１１］
次の式：
Δ（ｉ，ｔ）  ＝  Δ（ｉ，ｔ−１）−ｆ（Ｌ（ｉ，ｔ））＋ｇ（Ｐｒｅｆ（ｉ，ｔ），Ｐｒｅｆ（ｉ，ｔ−１））
に応じて情報を報告することをさらに備え、
ここで、ユーザ装置は、ＵＥであり、そして
Ｐｒｅｆ（ｉ，ｔ）  ＝  時刻ｔにおけるＵＥｉについての基準Ｔｘパワー
Ｗｒｅｆ  ＝  基準帯域幅
Ｐｍａｘ（ｉ）  ＝  ＵＥ能力に基づいたＵＥｉについての最大Ｔｘパワー
Ｐｍａｘ（ｉ，ｔ）  ＝  時刻ｔにおけるＵＥｉについての最大許容Ｔｘパワー
Δ（ｉ，ｔ）  ＝
【数１５】
0005646558.tif 000016
についての最大サポート可能Ｔｘパワーヘッドルーム
Ｌ（ｉ，ｔ）  ＝  時刻ｔにおけるＵＥｉについての実効負荷インジケータコマンド
ｆ（・）  ＝  負荷インジケータコマンドをＴｘパワー低減に対してマッピングする関数（ｄＢ）
ｇ（・）  ＝  以前および現在の基準パワーを考慮に入れる関数（ｄＢ）
Ｅｓ，ｉ  ＝  ユーザｉについての変調シンボル当たりのＲｘエネルギー
Ｎｔ  ＝  熱プラス他の干渉ＰＳＤ
である、
Ｃ１に記載の方法。
［Ｃ１２］
次の式：
【数１６】
0005646558.tif 000017
についての変調シンボル当たりの最大ＳＮＲを決定することをさらに備え、
ここで
Ｅｓ，ｉ  ＝  ユーザｉについての変調シンボル当たりのＲｘエネルギー
Ｎｔ  ＝  熱プラス他の干渉ＰＳＤ
である、
Ｃ１１に記載の方法。
［Ｃ１３］
次の式：
Ｗａｓｓｉｇｎ（ｉ）  ＝  ＵＥｉについての割り当てられた帯域幅
ＴＦａｓｓｉｇｎ（ｉ）  ＝  ＵＥｉについての割り当てられたトランスポートフォーマット
【数１７】
0005646558.tif 000018
に応じて帯域幅を割り付けること、をさらに備え、
ここで
Ｗｒｅｆ  ＝  基準帯域幅
Ｅｓ，ｉ  ＝  ユーザｉについての変調シンボル当たりのＲｘエネルギー
Ｎｔ  ＝  熱プラス他の干渉ＰＳＤ
である、
Ｃ１２に記載の方法。
［Ｃ１４］
次の式：
Ｐａｓｓｉｇｎｅｄ（ｉ）  ≦  Ｐｒｅｆ（ｉ，ｔ）・１０Δ（ｉ，ｔ）／１０  ＝  Ｐｍａｘ（ｉ，ｔ）・１０−ｆ（Ｌ（ｉ，ｔ））／１０
によって与えられるパワーレベル、をさらに備えるＣ１３に記載の方法。
［Ｃ１５］
次の式：
Ｐｍａｘ（ｉ，ｔ）・１０−ｆ（Ｌ（ｉ，ｔ））／１０
に応じてパワーパラメータを生成すること、をさらに備えるＣ１３に記載の方法。
［Ｃ１６］
ワイヤレスネットワークから受信される負荷パラメータを記憶するメモリと、
ワイヤレス端末のパワー出力を制御するために前記負荷パラメータとパワーヘッドルームパラメータとを使用するプロセッサと、
を備えるワイヤレス通信装置。
［Ｃ１７］
絶対パワースペクトル密度パラメータに基づいて前記ワイヤレス端末の前記パワー出力を制御するコンポーネント、をさらに備えるＣ１６に記載のワイヤレス通信装置。
［Ｃ１８］
相対パワースペクトル密度パラメータに基づいて前記ワイヤレス端末の前記パワー出力を制御するコンポーネント、をさらに備えるＣ１６に記載のワイヤレス通信装置。
［Ｃ１９］
前記パワーヘッドルームパラメータは、信号対雑音比（ＳＮＲ）またはサービス品質（ＱｏＳ）パラメータに基づいている、Ｃ１６に記載のワイヤレス通信装置。
［Ｃ２０］
前記メモリは、アップリンク割当てに基づいてデータを記憶する、Ｃ１６に記載のワイヤレス通信装置。
［Ｃ２１］
送信パワーを制御するワイヤレス通信装置であって、
ワイヤレスネットワークセルに関連する負荷パラメータを受信するための手段と、
受信された基準信号に基づいてパワーヘッドルームパラメータを生成するための手段と、
前記負荷パラメータと前記パワーヘッドルームパラメータとに部分的に基づいてパワーを調整するための手段と、
を備えるワイヤレス通信装置。
［Ｃ２２］
絶対パワースペクトル密度パラメータに基づいてパワーを調整するための手段、をさらに備えるＣ２１に記載のワイヤレス通信装置。
［Ｃ２３］
ワイヤレスネットワークにおけるアクティビティに関連した１つまたは複数の負荷ビットを受信することと、
受信された基準信号に基づいて相対パワーパラメータを決定することと、
前記負荷ビットと前記相対パワーパラメータとに部分的に基づいてワイヤレスデバイスにおけるパワーを制御することと、
を備える機械実行可能命令が記憶されている機械可読媒体。
［Ｃ２４］
絶対パワースペクトル密度パラメータに基づいて前記ワイヤレスデバイスにおけるパワーを制御すること、をさらに備えるＣ２３に記載の機械可読媒体。
［Ｃ２５］
相対パワースペクトル密度パラメータに基づいて前記ワイヤレスデバイスにおけるパワーを制御すること、をさらに備えるＣ２４に記載の機械可読媒体。
［Ｃ２６］
次の命令、すなわち
ワイヤレスネットワークから受信される負荷情報を解析すること、
受信された基準信号に基づいてパワーヘッドルームパラメータを生成すること、および
前記パワーヘッドルームパラメータと前記受信された基準信号とに基づいてパワーを制御すること、
を実行するプロセッサ。
［Ｃ２７］
絶対パワースペクトル密度パラメータに基づいてパワーを制御すること、をさらに備えるＣ２６に記載のプロセッサ。
［Ｃ２８］
ワイヤレスネットワークにおいて基地局からのパワーを制御するための方法であって、
相対パワーパラメータを受信することと、
ワイヤレスネットワークにおいて基地局からの少なくとも１つの他のワイヤレスセルに関連する負荷パラメータを生成することと、
前記相対パワーパラメータと前記負荷パラメータとに関連するパワーレベルに応じて前記基地局から前記ワイヤレスネットワークにわたって通信することと、
を備える方法。
［Ｃ２９］
絶対パワースペクトル密度パラメータを考慮して前記ワイヤレスネットワークにわたって通信すること、をさらに備えるＣ２８に記載の方法。
［Ｃ３０］
相対パワースペクトル密度パラメータを考慮して前記ワイヤレスネットワークにわたって通信すること、をさらに備えるＣ２８に記載の方法。
［Ｃ３１］
前記負荷パラメータは、前記少なくとも１つの他のワイヤレスセルの中のワイヤレスデバイスに関連するデータビットに関連づけられる、Ｃ２８に記載の方法。
［Ｃ３２］
少なくとも１つのワイヤレスデバイスについての基準信号を生成すること、をさらに備えるＣ２８に記載の方法。
［Ｃ３３］
前記基準信号は、信号対雑音比（ＳＮＲ）またはサービス品質（ＱｏＳ）パラメータに基づいている、Ｃ３２に記載の方法。
［Ｃ３４］
ワイヤレスネットワークにわたって生成されるべき負荷パラメータを記憶するメモリと；
前記ワイヤレスネットワークにわたって前記負荷パラメータを通信するプロセッサと、なお、前記プロセッサは、前記ワイヤレスネットワークにおいてパワーを調整するために前記負荷パラメータと共に使用される基準信号を生成する；
を備えるワイヤレス通信装置。
［Ｃ３５］
前記基準信号は、前記ワイヤレスネットワークにおいてさらにパワーを調整するために絶対パワースペクトル密度パラメータを決定するために使用される、Ｃ３４に記載のワイヤレス通信装置。
［Ｃ３６］
送信パワーを制御するワイヤレス通信装置であって、
１つまたは複数のワイヤレスネットワークセルに関連する負荷パラメータを生成するための手段と、
信号対雑音比またはサービス品質パラメータに基づいて基準信号を決定するための手段と、
ワイヤレスネットワークにおいてパワーを調整することを容易にするために前記負荷パラメータと前記基準信号とを通信するための手段と、
を備えるワイヤレス通信装置。
［Ｃ３７］
絶対パワースペクトル密度パラメータに基づいてパワーを調整するための手段、をさらに備えるＣ３６に記載のワイヤレス通信装置。
［Ｃ３８］
機械実行可能命令が記憶されている機械可読媒体であって、
ワイヤレスネットワークにおけるアクティビティに関連した１つまたは複数の負荷ビットを生成することと、
基準信号に基づいて相対パワーパラメータを決定することと、
前記ワイヤレスネットワークにおけるパワー制御を容易にするためにワイヤレスネットワークにわたって前記負荷ビットと前記相対パワーパラメータとを通信することと、
を備える機械可読媒体。
［Ｃ３９］
絶対パワースペクトル密度パラメータに基づいてパワーを制御すること、をさらに備えるＣ３８に記載の機械可読媒体。
［Ｃ４０］
次の命令、すなわち
ワイヤレスネットワークから受信される負荷情報を解析すること、
信号対雑音比またはサービス品質パラメータに基づいて基準信号を生成すること、および
前記ワイヤレスネットワークにおけるパワー制御を容易にするためにワイヤレスネットワークにわたって前記負荷情報と前記基準信号とを送信すること、
を実行するプロセッサ。
【図１】
0005646558.tif 000019
【図２】
0005646558.tif 000020
【図３】
0005646558.tif 000021
【図４】
0005646558.tif 000022
【図５】
0005646558.tif 000023
【図６】
0005646558.tif 000024
【図７】
0005646558.tif 000025
【図８】
0005646558.tif 000026
【図９】
0005646558.tif 000027
【図１０】
0005646558.tif 000028
【図１１】
0005646558.tif 000029